(57)【特許請求の範囲】
【請求項１】
情報処理装置であって、
表示制御部と、編集部と、を有し、
前記表示制御部は、オンライン葬儀の登録画面を表示可能に構成され、
前記登録画面には、喪主の情報を入力する領域と、故人の情報を入力する領域と、香典を辞退するか否かの選択項目と、が含まれ、
前記選択項目において、香典を辞退しないことが選択された場合、前記表示制御部は、前記登録画面に、前記香典の振込先の情報を入力する領域を表示し、
入場画面において、前記オンライン葬儀の会場画面に入るのに用いられる識別番号が入力された場合、前記表示制御部は、前記オンライン葬儀の会場画面を表示可能に構成され、
前記編集部は、Ｗｅｂカメラで撮像されたオンライン葬儀の動画のうち、読経部分を検知すると、前記読経部分を短縮するよう編集する、
情報処理装置。
【請求項２】
請求項１に記載の情報処理装置において、
実際の葬儀へ供花注文があった場合、前記表示制御部は、前記オンライン葬儀の会場画面においても供花の装飾を表示可能に構成されている、
情報処理装置。
【請求項３】
請求項１又は請求項２に記載の情報処理装置において、
前記表示制御部は、前記オンライン葬儀の参列者情報の画面を表示可能に構成され、
前記参列者情報の画面には、参列者ごとの香典の情報が含まれる、
情報処理装置。
【請求項４】
請求項１から請求項３までの何れか１項に記載の情報処理装置において、
前記表示制御部は、選択された前記故人の宗教に基づき前記オンライン葬儀に関する香典返しの画面を表示可能に構成される、
情報処理装置。
【請求項５】
請求項１から請求項３までの何れか１項に記載の情報処理装置において、
前記表示制御部は、前記喪主が暮らしている地域に基づき前記オンライン葬儀に関する香典返しの画面を表示可能に構成される、
情報処理装置。
【請求項６】
請求項１から請求項５までの何れか１項に記載の情報処理装置において、
前記故人の情報を入力する領域には、故人の遺影の画像を選択する領域と、遺影の枠を選択する領域とが含まれる、
情報処理装置。
【請求項７】
請求項１から請求項６までの何れか１項に記載の情報処理装置において、
前記故人の情報を入力する領域には、スライドショー用の画像を選択する領域が含まれる、
情報処理装置。
【請求項８】
請求項１から請求項７までの何れか１項に記載の情報処理装置において、
前記オンライン葬儀の会場画面には、前記オンライン葬儀の会場画面の情報を知らせるシェアオブジェクトが含まれる、
情報処理装置。
【請求項９】
請求項１から請求項８までの何れか１項に記載の情報処理装置において、
投稿部を有し、
前記投稿部は、連携が許可された、故人のソーシャル・ネットワーキング・サービスのアカウントにおいて、前記オンライン葬儀の会場画面の情報を投稿する、
情報処理装置。
【請求項１０】
情報処理システムであって、
表示制御部と、編集部と、を有し、
前記表示制御部は、オンライン葬儀の登録画面を表示可能に構成され、
前記登録画面には、喪主の情報を入力する領域と、故人の情報を入力する領域と、香典を辞退するか否かの選択項目と、が含まれ、
前記選択項目において、香典を辞退しないことが選択された場合、前記表示制御部は、前記登録画面に、前記香典の振込先の情報を入力する領域を表示し、
入場画面において、前記オンライン葬儀の会場画面に入るのに用いられる識別番号が入力された場合、前記表示制御部は、前記オンライン葬儀の会場画面を表示可能に構成され、
前記編集部は、Ｗｅｂカメラで撮像されたオンライン葬儀の動画のうち、読経部分を検知すると、前記読経部分を短縮するよう編集する、
情報処理システム。
【請求項１１】
情報処理方法であって、
第１の工程と、第２の工程と、第３の工程と、第４の工程と、を含み、
前記第１の工程では、オンライン葬儀の登録画面を表示し、
前記登録画面には、喪主の情報を入力する領域と、故人の情報を入力する領域と、香典を辞退するか否かの選択項目と、が含まれ、
前記選択項目において、香典を辞退しないことが選択された場合、前記第２の工程では、前記登録画面に、前記香典の振込先の情報を入力する領域を表示し、
入場画面において、前記オンライン葬儀の会場画面に入るのに用いられる識別番号が入力された場合、前記第３の工程では、前記オンライン葬儀の会場画面を表示し、
前記第４の工程では、Ｗｅｂカメラで撮像されたオンライン葬儀の動画のうち、読経部分を検知すると、前記読経部分を短縮するよう編集する、
情報処理方法。
【請求項１２】
プログラムであって、コンピュータを、請求項１から請求項９までの何れか１項に記載の情報処理装置の各部として機能させるためのプログラム。
【発明の詳細な説明】
【技術分野】
【０００１】
本発明は、情報処理装置、情報処理システム、情報処理方法及びプログラムに関する。
【背景技術】
【０００２】
特許文献１には、葬儀の開催地から離れた場所に住む者や都合により式典に参加できないものに対して葬儀の対象者である故人を偲ぶ場を提供することができるインターネットを利用した仮想式典提供装置が開示されている。
【先行技術文献】
【特許文献】
【０００３】
【特許文献１】特開２００２−２２２２７８号公報
【発明の概要】
【発明が解決しようとする課題】
【０００４】
しかし、特許文献１の開示では、オンライン葬儀の登録をどのように行うか具体的ではなく、また煩わしい問題があった。また、喪主がオンライン葬儀に参列する人から香典を辞退することができない問題もあった。
【課題を解決するための手段】
【０００５】
本発明の一態様によれば、情報処理装置であって、表示制御部を有し、前記表示制御部は、オンライン葬儀の登録画面を表示可能に構成され、前記登録画面には、喪主の情報を入力する領域と、故人の情報を入力する領域と、香典を辞退するか否かの選択項目と、が含まれ、前記選択項目において、香典を辞退しないことが選択された場合、前記表示制御部は、前記登録画面に、前記香典の振込先の情報を入力する領域を表示し、入場画面において、前記オンライン葬儀の会場画面に入るのに用いられる識別番号が入力された場合、前記表示制御部は、前記オンライン葬儀の会場画面を表示可能に構成される、情報処理装置が提供される。
【図面の簡単な説明】
【０００６】
【図１】情報処理システムのシステム構成の一例を示す図である。
【図２】サーバ装置のハードウェア構成の一例を示す図である。
【図３】サーバ装置のハードウェア構成の一例を示す図である。
【図４】サーバ装置の機能構成の一例を示す図である。
【図５】サーバ装置のオンライン葬儀の登録に関する情報処理の一例を示すアクティビティ図である。
【図６】マイページの一例を示す図である。
【図７】オンライン葬儀の登録画面の一例を示す図である。
【図８】故人の画像等を選択する領域の詳細を示す図である。
【図９】香典の振込先の情報を入力する領域の一例を示す図である。
【図１０】サーバ装置のオンライン葬儀の会場の表示に関する情報処理の一例を示すアクティビティ図である。
【図１１】入場画面の一例を示す図である。
【図１２】オンライン葬儀の会場画面の一例を示す図である。
【図１３】変形例２のマイページの一例を示す図である。
【図１４】参列者一覧画面の一例を示す図である。
【図１５】変形例５のサーバ装置の機能構成の一例を示す図である。
【図１６】変形例６のサーバ装置の機能構成の一例を示す図である。
【発明を実施するための形態】
【０００７】
以下、図面を用いて本発明の実施形態について説明する。以下に示す実施形態中で示した各種特徴事項は、互いに組み合わせ可能である。
【０００８】
ところで、本実施形態に登場するソフトウェアを実現するためのプログラムは、コンピュータが読み取り可能な非一時的な記録媒体として提供されてもよいし、外部のサーバからダウンロード可能に提供されてもよいし、外部のコンピュータで当該プログラムを起動させてクライアント端末でその機能を実現（いわゆるクラウドコンピューティング）するように提供されてもよい。
【０００９】
また、本実施形態において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、例えば電圧・電流を表す信号値の物理的な値、０又は１で構成される２進数のビット集合体としての信号値の高低、又は量子的な重ね合わせ（いわゆる量子ビット）によって表され、広義の回路上で通信・演算が実行されうる。
【００１０】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１１】
＜実施形態１＞
１．システム構成
図１は、情報処理システム１０００のシステム構成の一例を示す図である。サーバ装置１００は、システム構成として、サーバ装置１００と、ＰＣ（Ｐｅｒｓｏｎａｌ  Ｃｏｍｐｕｔｅｒ）１１０と、ＰＣ１２０と、を含む。サーバ装置１００は、情報処理装置の一例である。ＰＣ１１０は、喪主が用いる端末の一例である。ＰＣ１２０は、ＰＣ１２０は、オンライン葬儀に参列する参列者が用い得る端末の一例である。図１では、簡略化のため、ＰＣ１２０は１台しか示していないが、情報処理システム１０００には、オンライン葬儀に参列する参列者の複数の端末が接続されていてもよい。また、ＰＣ１１０、ＰＣ１２０は、ＰＣに限られず、スマートフォン、タグレット型コンピュータ等であってもよい。サーバ装置１００と、ＰＣ１１０と、ＰＣ１２０と、はネットワーク１５０を介して通信可能に接続されている。
【００１２】
２．ハードウェア構成
（１）サーバ装置１００のハードウェア構成
図２は、サーバ装置１００のハードウェア構成の一例を示す図である。サーバ装置１００は、ハードウェア構成として、制御部２０１と、記憶部２０２と、通信部２０３と、を含む。制御部２０１は、サーバ装置１００の全体を制御する。記憶部２０２は、プログラム及び制御部２０１がプログラムに基づき処理を実行する際に用いるデータ等を記憶する。制御部２０１が、記憶部２０２に記憶されたプログラムに基づき処理を実行することによって、後述する図４、図１５、図１６に示すサーバ装置１００の機能構成及び後述する図５、図１０に示すアクティビティ図が実現される。通信部２０３は、サーバ装置１００をネットワーク１５０に接続し、他の装置との通信を司る。
【００１３】
（２）ＰＣ１１０のハードウェア構成
図３は、サーバ装置１００のハードウェア構成の一例を示す図である。ＰＣ１１０は、ハードウェア構成として、制御部３０１と、記憶部３０２と、入力部３０３と、表示部３０４と、通信部３０５と、を含む。制御部３０１は、ＰＣ１１０の全体を制御する。記憶部３０２は、プログラム及び制御部３０１がプログラムに基づき処理を実行する際に用いるデータ等を記憶する。制御部３０１が、記憶部３０２に記憶されたプログラムに基づき処理を実行することによって、ＰＣ１１０の機能が実現される。入力部３０３は、操作者の操作情報を制御部３０１等に入力する。表示部３０４は、制御部３０１による処理の結果等を表示する。通信部３０５は、ＰＣ１１０をネットワーク１５０に接続し、他の装置との通信を司る。
ＰＣ１２０のハードウェア構成もＰＣ１１０のハードウェア構成と同様である。
３．機能構成
図４は、サーバ装置１００の機能構成の一例を示す図である。サーバ装置１００は、機能構成として、表示制御部４０１を含む。表示制御部４０１は、請求に応じて、オンライン葬儀の登録画面をＰＣ１１０の表示部３０４に表示可能に構成される。登録画面には、喪主の情報を入力する領域と、故人の情報を入力する領域と、香典を辞退するか否かの選択項目と、が含まれる。選択項目において、香典を辞退しないことが選択された場合、登録画面には、香典の振込先の情報を入力する領域が表示される。すなわち、選択科目において、香典を辞退しないことが選択された場合、表示制御部４０１は、登録画面に、香典の振込先の情報を入力する領域を表示する。また、入場画面において、オンライン葬儀の会場画面に入るのに用いられる識別番号が入力された場合、表示制御部４０１は、ＰＣ１２０の表示部にオンライン葬儀の会場画面を表示可能に構成される。
サーバ装置１００が、表示制御部４０１を有することによって、オンライン葬儀の登録を簡潔に行うことができると共に、喪主がオンライン葬儀に参列する人から香典を辞退することができる。
【００１４】
４．情報処理
図５は、サーバ装置１００のオンライン葬儀の登録に関する情報処理の一例を示すアクティビティ図である。
Ａ５０１において、表示制御部４０１は、ＰＣ１１０の表示部３０４に表示されているマイページにおいてオンライン葬儀登録ボタンが選択されたか否かを判定する。図６は、マイページの一例を示す図である。マイページには、オンライン葬儀登録ボタン６０１が含まれる。表示制御部４０１は、オンライン葬儀登録ボタン６０１が選択されたと判定すると、処理をＡ５０２に進める。表示制御部４０１は、オンライン葬儀登録ボタン６０１が選択されていないと判定すると、Ａ５０１の処理を繰り返す。ここで、マイページは、オンライン葬儀サービスに登録した登録者ごとにカスタマイズされた専用ページである。
【００１５】
Ａ５０２において、表示制御部４０１は、登録画面がＰＣ１１０の表示部３０４に表示されるよう制御する。登録画面には、喪主の情報を入力する領域と、故人の情報を入力する領域と、香典を辞退するか否かの選択項目と、が含まれる。図７は、オンライン葬儀の登録画面の一例を示す図である。登録画面には、喪主の方の情報を入力する領域７０１と、故人の情報を入力する領域と、葬儀の情報を入力する領域７０３と、香典を辞退するか否かの選択項目の領域７０４と、が含まれる。故人の情報を入力する領域には、故人の画像等を選択する領域７０２が含まれる。
【００１６】
図８は、故人の画像等を選択する領域７０２の詳細を示す図である。故人の画像等を選択する領域７０２には、故人の遺影の画像を選択する領域８０１と、遺影の枠を選択する領域８０３とが含まれる。ＰＣ１１０の入力部３０３等を介して喪主が故人の遺影の画像を選択する領域８０１を選択し、故人の画像を選択すると、領域８０２に故人の画像が表示される。また、ＰＣ１１０の入力部３０３等を介して喪主が遺影の枠を選択する領域８０３より遺影の額の枠を選択すると、表示制御部４０１は、領域８０２に表示されている画像に選択された枠を合成した画像を領域８０２に表示する。さらに、喪主は、編集のボタンを選択して、遺影の画像の位置及びサイズを調整することができる。また、故人の画像等を選択する領域７０２には、スライドショー用の画像を選択する領域が含まれる。ＰＣ１１０の入力部３０３等を介して喪主がスライドショー用の画像を選択する領域において、スライドショー用の画像を選択する。この領域で選択された画像は、オンライン葬儀において故人との思い出等として表示される。
【００１７】
Ａ５０３において、表示制御部４０１は、登録画面の香典を辞退するか否かの選択項目において、香典を辞退しない、が選択されたか否かを判定する。表示制御部４０１は、香典を辞退しない、が選択されたと判定した場合、処理をＡ５０４に進め、香典を辞退する、が選択されたと判定した場合、処理をＡ５０５に進める。
【００１８】
Ａ５０４において、表示制御部４０１は、登録画面に、香典の振込先の情報を入力する領域を表示する。図９は、香典の振込先の情報を入力する領域９０１の一例を示す図である。
Ａ５０５において、表示制御部４０１は、登録ボタンが選択されたことに基づき、登録画面において入力された情報を、喪主を識別する情報と共に、記憶部２０２等に記憶する。
【００１９】
５．まとめ
実施形態１によれば、オンライン葬儀の登録を簡潔に行うことができると共に、喪主がオンライン葬儀に参列する人から香典を辞退することができる。
【００２０】
＜変形例１＞
変形例１を説明する。図１０は、サーバ装置１００のオンライン葬儀の会場の表示に関する情報処理の一例を示すアクティビティ図である。
Ａ１００１において、表示制御部４０１は、ＰＣ１１０の表示部３０４に表示されているマイページにおいてオンライン葬儀会場へのボタンが選択されたか否かを判定する。表示制御部４０１は、オンライン葬儀会場へのボタンが選択されたと判定すると、処理をＡ１００２に進める。表示制御部４０１は、オンライン葬儀会場へのボタンが選択されていないと判定すると、Ａ１００１の処理を繰り返す。
【００２１】
Ａ１００２において、表示制御部４０１は、オンライン葬儀会場の入場画面を表示する。なお、Ａ１００２以下の処理は、オンライン葬儀に参列する参列者のＰＣ１２０からＵＲＬ等を指定されてＰＣ１２０の表示部に入場画面が表示された場合も同様の処理となる。
【００２２】
図１１は、入場画面の一例を示す図である。入場画面１１０１には、管理番号を入力する入力領域１１０２が含まれる。管理番号は、喪主ごとに関連付けて付与されている、オンライン葬儀会場に入るための識別番号である。
【００２３】
Ａ１００３において、表示制御部４０１は、入力領域１１０３において正しい管理番号が入力されたか否かを判定する。表示制御部４０１は、正しい管理番号が入力されたと判定すると、処理をＡ１００４に進める。表示制御部４０１は、正しい管理番号が入力されなかったと判定すると、Ａ１００２の処理に戻る。
【００２４】
Ａ１００４において、表示制御部４０１は、要求元の装置の表示部にオンライン葬儀の会場画面を表示するよう制御する。図１２は、オンライン葬儀の会場画面の一例を示す図である。オンライン葬儀の会場の画面には、オンライン葬儀の会場画面の情報を知らせるシェアオブジェクトが含まれる。シェアオブジェクトの例としては、ソーシャル・ネットワーキング・サービスのアカウントに接続するためのボタン等がある。ソーシャル・ネットワーキング・サービスとしては、例えば、ＬＩＮＥ（登録商標）、Ｆａｃｅｂｏｏｋ（登録商標）、Ｔｗｉｔｔｅｒ（登録商標）等がある。例えば、喪主は、シェアオブジェクトを用いて、オンライン葬儀の会場を示す情報（例えば、ＵＲＬ）と、管理番号とを周知させることができる。
Ａ１００５において、表示制御部４０１は、オンライン葬儀の会場画面の終了ボタン等が選択されたか否かを判定する。表示制御部４０１は、終了ボタン等が選択されたと判定すると、処理を終了する。表示制御部４０１は、終了ボタン等が選択されていないと判定売ると、Ａ１００４の処理を繰り返す。
【００２５】
変形例１によれば、管理番号を入力して、オンライン葬儀の会場に入ることができる。また、喪主は、シェアオブジェクトを用いて、オンライン葬儀の会場のＵＲＬ及び管理番号を、ソーシャル・ネットワーキング・サービスを利用しても故人と関係のあった人に知らせることができる。
【００２６】
＜変形例２＞
変形例２を説明する。変形例２の表示制御部４０１は、オンライン葬儀に参列し、記帳した参列者及び香典を備えてくれた参列者の一覧を表示する参列者一覧ボタン１３０１を含むマイページを表示する。図１３は、変形例２のマイページの一例を示す図である。参列者一覧ボタン１３０１が選択されると、表示制御部４０１は、ＰＣ１１０の表示部３０４にオンライン葬儀の参列者一覧画面を表示する。オンライン葬儀の参列者一覧画面は、オンライン葬儀の参列者情報の画面の一例である。図１４は、参列者一覧画面の一例を示す図である。参列者一覧画面には、参列者ごとの香典の情報が含まれる。
【００２７】
変形例２によれば、オンライン葬儀の参列者の情報を確認することができる。また、参列者の香典の情報も確認することができる。
【００２８】
＜変形例３＞
変形例３を説明する。変形例３は、変形例２の変形例である。サーバ装置１００は、参列者ごとの香典の金額の情報を保持している。したがって、変形例３のサーバ装置１００は、参列者ごとの香典の金額の情報に基づき、香典返しに関する処理を行う。変形例３の表示制御部４０１は、選択された故人の宗教に基づきオンライン葬儀に関する香典返しの画面を表示可能に構成される。宗教、宗派によっては、香典返しの時期が異なる。したがって、例えば、表示制御部４０１は、選択された故人の宗教、宗派によって、Ｘ日後に送る香典返しを選択させる画面を、ＰＣ１１０の表示部３０４に表示する。仏式では、Ｘは４９日目である。神式では、Ｘは５０日目である。キリスト教のカトリックではｘは３０日目である。キリスト教のプロテスタントではｘは１ヶ月後である。また、表示制御部４０１は、選択された故人の宗教に基づき異なる香典返しの商品を含むカタログを画面に表示するようにしてもよい。
【００２９】
変形例３によれば、故人の宗教に応じた香典返しの画面を表示することができる。
【００３０】
＜変形例４＞
変形例４を説明する。変形例４は、変形例２の変形例である。サーバ装置１００は、参列者ごとの香典の金額の情報を保持している。したがって、変形例４のサーバ装置１００は、参列者ごとの香典の金額の情報に基づき、香典返しに関する処理を行う。変形例４の表示制御部４０１は、喪主が暮らしている地域に基づきオンライン葬儀に関する香典返しの画面を表示可能に構成される。例えば、同じ仏式であったとしても地域の風習によって、香典返しを行うタイミング、香典返しの品等が異なる場合がある。したがって、例えば、表示制御部４０１は、喪主が暮らしている地域に応じた、香典返しの画面をＰＣ１１０の表示部３０４に表示する。
【００３１】
変形例４によれば、喪主が暮らしている地域に応じた香典返しの画面を表示することができる。なお、他の例として、喪主が暮らしている地域を、葬儀を行った地域、等としてもよい。
【００３２】
＜変形例５＞
変形例５を説明する。図１５は、変形例５のサーバ装置１００の機能構成の一例を示す図である。サーバ装置１００は、機能構成として、表示制御部４０１と、編集部１５０１と、を含む。上述した実施形態では、実際の葬儀をＷｅｂカメラで撮像し、撮像された動画をオンライン葬儀の会場画面で表示していた。しかし、葬儀の読経では４０分〜６０分かかる。編集部１５０１は、Ｗｅｂカメラで撮像された動画のうち、例えば、読経を検知すると、読経部分を短縮するよう編集する。変形例５の表示制御部４０１は、Ｗｅｂカメラで撮像されたリアルタイムの動画ではなく、編集部１５０１で編集された動画をオンライン葬儀の会場画面で表示する。
【００３３】
変形例５によれば、読経等、時間がかかる部分を編集した動画をオンライン葬儀の会場画面で表示することができる。
【００３４】
＜変形例６＞
変形例６を説明する。図１６は、変形例６のサーバ装置１００の機能構成の一例を示す図である。サーバ装置１００は、機能構成として、表示制御部４０１と、投稿部１６０１と、を含む。投稿部１６０１は、生前においてオンライン葬儀のサービスとの連携が許可された、故人のソーシャル・ネットワーキング・サービスを用いて、故人のアカウントにおいて、故人のオンライン葬儀の会場を示す情報（例えば、ＵＲＬ）と、管理番号とを投稿し、オンライン葬儀が行われることを通知する。このような構成とすることによって、故人とソーシャル・ネットワーキング・サービスにおいて交流していた人たちに対しても葬儀に参列する機会を提供することができる。
【００３５】
＜変形例７＞
変形例７を説明する。上述した実施形態等ではサーバ装置１００が処理を行うものとして説明を行った。しかし、複数のサーバ装置から構成される情報処理システム、例えばクラウドシステム等が、上述したサーバ装置１００が行った処理を実行するようにしてもよい。
【００３６】
＜その他の変形例＞
その他の変形例を説明する。その他の変形例の表示制御部４０１は、所定の操作に基づいてオンライン葬儀に参列する参列者のPC１２０に供花の注文が可能な画面を表示するようにしてもよい。
また、表示制御部４０１は、所定の操作に基づいてオンライン葬儀に参列する参列者のPC１２０に実際の葬儀場に届ける弔電の注文が可能な画面を表示するようにしてもよい。
また、表示制御部４０１は、実際の葬儀場に送られた弔電をオンライン葬儀の会場でもリンクさせて閲覧可能及び検索可能にしてもよい。
【００３７】
また、表示制御部４０１は、オンライン葬儀の会場において、献花ボタンが選択された場合、オンライン葬儀の会場において、献花の装飾を表示するようにしてもよい。
また、表示制御部４０１は、オンライン葬儀の会場において、玉串奉納ボタンが選択された場合、オンライン葬儀の会場において、玉串が奉納されたように表示するようにしてもよい。
また、表示制御部４０１は、実際の葬儀への供花注文とオンライン葬儀の会場とをリンクさせ、オンライン葬儀の会場にも供花の装飾を追加表示するようにしてもよい。
【００３８】
また、表示制御部４０１は、オンライン葬儀実施中に参列者が記載したメッセージを画面上にテロップとして掲載するようにしてもよい。
また、表示制御部４０１は、オンライン葬儀実施中に実際の葬儀場等における対応状況（現在回し焼香中等）を文字で画面に表示するようにしてもよい。
また、表示制御部４０１は、オンライン葬儀の会場での葬儀動画をVR（Virtual Reality）にて閲覧可能にしてもよい。
【００３９】
また、表示制御部４０１は、オンライン葬儀の会場において、参列者よりメッセージ、香典、静止画、動画、音声メッセージを受け付け可能な画面を表示するようにしてもよい。
また、表示制御部４０１は、クレジットカードにおける香典決済後、そのまま参列者が返礼品を選択可能な画面を表示するようにしてもよい。
【００４０】
また、表示制御部４０１は、実際の葬儀参列前にオンライン葬儀の会場で事前に記帳可能な画面を表示すると共に、香典決済が可能な画面を表示するようにしてもよい。そして、その他の変形例のサーバ装置１００は、記帳、香典決済を行ったユーザを識別するユーザ識別情報を含むメール、又は２次元コードを該当するユーザのスマートフォン等の端末装置に送信する。ユーザは、実際の葬儀にその端末装置を持って参列し、受付において、メール、又は２次元コードを見せる。例えば、実際の葬儀の会場において、２次元コードの読み取り装置を設置し、２次元コードの読み取り装置において、２次元コードを読み取る。事前に、香典決済を行ったユーザは、２次元コードが読み取られることによって、既に香典を払っているユーザと認証され、手間を省くことができる。
【００４１】
また、表示制御部４０１は、サイトよりオンライン葬儀を実施している喪家を検索可能にしてもよい。
また、サーバ装置１００は、SNS（Social Networking Service）のアプリケションと連携可能としてもよい。そして、サーバ装置１００は、オンライン葬儀の開始をSNSで送信する。サーバ装置１００は、SNSを介して受け付けたメッセージを、管理画面上で通常のメッセージと同様に確認可能に表示する。
【００４２】
また、表示制御部４０１は、訃報案内とあわせて葬儀参列マナー、オンライン葬儀の参列手順を参列者が確認可能に表示指定もよい。
また、表示制御部４０１は、参列者同士の掲示板機能を提供してもよい。
また、サーバ装置１００は、オンライン葬儀の会場におけるBGM（BackGround Music）の設定を可能にしてもよい。
【００４３】
また、サーバ装置１００は、オンライン葬儀上で録音された喪主の挨拶を音声でも配信してもよい。
また、サーバ装置１００は、撮像された画像、動画を複数、サイトにアップされた場合、オンライン葬儀場で配信できる動画に自動編集するようにしてもよい。また、サーバ装置１００は、更に、BGMが追加された場合、BGMを含む動画に自動編集するようにしてもよい。
【００４４】
また、表示制御部４０１は、複数のカメラで撮像された葬儀動画をオンライン葬儀の会場で表示するようにしてもよい。また、表示制御部４０１は、例えば、オンライン葬儀の参列者による要求に応じて、カメラごとの画面の切り替えを可能としてもよい。
また、サーバ装置１００は、オンライン葬儀の参列者に対して、登録された連絡先に後日、お礼メールを送信するようにしてもよい。
【００４５】
また、サーバ装置１００は、葬儀実施後、故人との思い出の場として、所定の記憶領域を提供するようにしてもよい。所定の記憶領域は、サーバ装置１００の記憶部２０２に設けられてもよいし、サーバ装置１００と通信可能なストレージサーバの記憶部等に設けられてもよい。
所定の記憶領域には、喪主、遺族より提供された故人の画像、葬儀場の画像、動画等が記憶される。さらに、参列者からのメッセージ、画像、動画を記憶領域に記憶するようにしてもよい。
また、サーバ装置１００は、オンラインでのお墓参りを可能とする機能を提供してもよい。
【００４６】
また、サーバ装置１００は、サイト上よりエリアごとのサービス実施企業（葬儀社）を検索可能としてもよい。
また、サーバ装置１００は、葬儀後、定期法要を自動で遺族、参列者にお知らせ（初七日、四十九日、一周忌、三回忌等）するようにしてもよい。なお、定期法要は宗教及び宗派によって変更するようにしてもよい。
【００４７】
また、サーバ装置１００は、サイトを外国語対応させ日本国外の友人、知人にも共有し利用してもらえるようにすることができる。
また、サーバ装置１００は、生前に事前登録を可能とすることができる。自身の死後、遺族に管理画面を引き継ぎすることで、事前に登録した画像、メッセージ、音声等をオンライン葬儀場で配信することができる。
【００４８】
また、表示制御部４０１は、香典決済時には以下の支払い方法が選択可能な画面を表示するようにしてもよい。
・クレジットカード決済
・現金振込
・バーコード決済
・電子マネー（交通電子マネー等）決済
・コンビニ後払い
【００４９】
＜付記＞
次に記載の各態様で提供されてもよい。
前記情報処理装置において、前記表示制御部は、前記オンライン葬儀の参列者情報の画面を表示可能に構成され、前記参列者情報の画面には、参列者ごとの香典の情報が含まれる、情報処理装置。
前記情報処理装置において、前記表示制御部は、選択された前記故人の宗教に基づき前記オンライン葬儀に関する香典返しの画面を表示可能に構成される、情報処理装置。
前記情報処理装置において、前記表示制御部は、前記喪主が暮らしている地域に基づき前記オンライン葬儀に関する香典返しの画面を表示可能に構成される、情報処理装置。
前記情報処理装置において、前記故人の情報を入力する領域には、故人の遺影の画像を選択する領域と、遺影の枠を選択する領域とが含まれる、情報処理装置。
前記情報処理装置において、前記故人の情報を入力する領域には、スライドショー用の画像を選択する領域が含まれる、情報処理装置。
前記情報処理装置において、前記オンライン葬儀の会場画面には、前記オンライン葬儀の会場画面の情報を知らせるシェアオブジェクトが含まれる、情報処理装置。
前記情報処理装置において、投稿部を有し、前記投稿部は、連携が許可された、故人のソーシャル・ネットワーキング・サービスのアカウントにおいて、前記オンライン葬儀の会場画面の情報を投稿する、情報処理装置。
情報処理システムであって、表示制御部を有し、前記表示制御部は、オンライン葬儀の登録画面を表示可能に構成され、前記登録画面には、喪主の情報を入力する領域と、故人の情報を入力する領域と、香典を辞退するか否かの選択項目と、が含まれ、前記選択項目において、香典を辞退しないことが選択された場合、前記表示制御部は、前記登録画面に、前記香典の振込先の情報を入力する領域を表示し、入場画面において、前記オンライン葬儀の会場画面に入るのに用いられる識別番号が入力された場合、前記表示制御部は、前記オンライン葬儀の会場画面を表示可能に構成される、情報処理システム。
情報処理方法であって、第１の工程と、第２の工程と、第３の工程と、を含み、前記第１の工程では、オンライン葬儀の登録画面を表示し、前記登録画面には、喪主の情報を入力する領域と、故人の情報を入力する領域と、香典を辞退するか否かの選択項目と、が含まれ、前記選択項目において、香典を辞退しないことが選択された場合、前記第２の工程では、前記登録画面に、前記香典の振込先の情報を入力する領域を表示し、入場画面において、前記オンライン葬儀の会場画面に入るのに用いられる識別番号が入力された場合、前記第３の工程では、前記オンライン葬儀の会場画面を表示する、情報処理方法。
プログラムであって、コンピュータを、前記情報処理装置の各部として機能させるためのプログラム。
もちろん、この限りではない。
【００５０】
例えば、上述のプログラムを記憶する、コンピュータ読み取り可能な非一時的な記憶媒体として提供してもよい。
また、上述した実施形態及び変形例を任意に組み合わせて実施するようにしてもよい。
また、オンライン葬儀の会場画面において、ご焼香ボタンが選択された場合、表示制御部４０１は、遺影の上に煙のエフェクトを被せて表示するようにしてもよい。また、故人の情報として、故人の生年月日と亡くなった日とが入力された場合、サーバ装置１００は、享年を自動的に計算するようにしてもよい。また、回忌法要に使う場合等、サーバ装置１００は、喪主からの要求に応じて、所定の額を受け取ることによって、故人の情報、オンライン葬儀に参列した参列者の情報等を、記憶部２０２等に保持、管理するようにしてもよい。
【００５１】
最後に、本発明に係る種々の実施形態を説明したが、これらは、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態及びその変形は、発明の範囲及び要旨に含まれると共に、特許請求の範囲に記載された発明とその均等の範囲に含まれるものである。
【符号の説明】
【００５２】
１００    ：サーバ装置
１５０    ：ネットワーク
２０１    ：制御部
２０２    ：記憶部
２０３    ：通信部
３０１    ：制御部
３０２    ：記憶部
３０３    ：入力部
３０４    ：表示部
３０５    ：通信部
４０１    ：表示制御部
６０１    ：オンライン葬儀登録ボタン
７０１    ：領域
７０２    ：領域
７０３    ：領域
７０４    ：領域
８０１    ：領域
８０２    ：領域
８０３    ：領域
９０１    ：領域
１０００  ：情報処理システム
１１０１  ：入場画面
１１０２  ：入力領域
１１０３  ：入力領域
１３０１  ：参列者一覧ボタン
１５０１  ：編集部
１６０１  ：投稿部
【要約】      （修正有）【課題】オンライン葬儀を登録し、喪主がオンライン葬儀に参列する人から香典を辞退できる情報処理装置を提供する。【解決手段】情報処理システム１０００において、サーバ装置１００の表示制御部は、オンライン葬儀の登録画面を表示できる。登録画面には、喪主の情報を入力する領域と、故人の情報を入力する領域と、香典を辞退するか否かの選択項目と、が含まれる。選択項目において、香典を辞退しないことが選択された場合、表示制御部は、登録画面に、香典の振込先の情報を入力する領域を表示し、入場画面において、オンライン葬儀の会場画面に入るのに用いられる識別番号が入力された場合、表示制御部は、オンライン葬儀の会場画面を表示する。【選択図】図１【図１】
0006889889.tif 000002
【図２】
0006889889.tif 000003
【図３】
0006889889.tif 000004
【図４】
0006889889.tif 000005
【図５】
0006889889.tif 000006
【図６】
0006889889.tif 000007
【図７】
0006889889.tif 000008
【図８】
0006889889.tif 000009
【図９】
0006889889.tif 000010
【図１０】
0006889889.tif 000011
【図１１】
0006889889.tif 000012
【図１２】
0006889889.tif 000013
【図１３】
0006889889.tif 000014
【図１４】
0006889889.tif 000015
【図１５】
0006889889.tif 000016
【図１６】
0006889889.tif 000017